(57)【要約】      （修正有）【課題】お茶の抽出後に含まれる水分を、より簡便な動作で取り除くことができるティーバッグを提供する。【解決手段】ティーカップの口縁に載せられてティーカップの内部を塞ぐ保温蓋１０と、保温蓋１０のうら面１７に設けられる吸水シート１５と、ヒンジ２３を介して保温蓋１０のうら面１７に正逆回転が自在に固定されるティーバッグ本体２０と、を備える。ティーバッグ本体２０は、保温蓋１０と平行をなすように回動すると、吸水シート１５に面接触する。ティーバッグ本体２０は、保温蓋１０と平行をなすように回動して、吸水シート１５に面接触している状態で、保温蓋１０の投影範囲内に収まる平面寸法に形成されていることが好ましい。【選択図】図１
0003198196.tif 000002
【実用新案登録請求の範囲】
【請求項１】
ティーカップの口縁に載せられて前記ティーカップの内部を塞ぎ、前記ティーカップの内部に臨むうら面と、うら面の反対側のおもて面と、を有する保温蓋と、
前記保温蓋の前記うら面に設けられる吸水シートと、
ヒンジを介して前記保温蓋の前記うら面に正逆回転が自在に固定されるティーバッグ本体と、
を備え、
前記ティーバッグ本体は、前記保温蓋と平行をなすと、前記吸水シートに面接触する、
ことを特徴とするティーバッグ。
【請求項２】
前記ティーバッグ本体は、
前記保温蓋と平行をなして前記吸水シートに面接触している状態で、
前記保温蓋の投影範囲内に収まる平面寸法に形成されている、
請求項１に記載のティーバッグ。
【請求項３】
前記吸水シートは、
前記ティーバッグ本体と同等以上の表面積を有する、
請求項１又は請求項２に記載のティーバッグ。
【請求項４】
前記保温蓋は、
前記おもて面に意匠画が描かれている、
請求項１〜３のいずれか一項に記載のティーバッグ。
【請求項５】
前記保温蓋は、
前記うら面に耐水コーティング層が形成され、
前記耐水コーティング層の表面に前記吸水シートが貼り付けられている、
請求項１〜４のいずれか一項に記載のティーバッグ。
【考案の詳細な説明】
【技術分野】
【０００１】
本考案は、ティーカップに載せながらお茶を抽出することのできるティーバッグに関するものである。
【背景技術】
【０００２】
典型的なティーバッグは、茶葉が収容された濾過袋と、濾過袋に取り付けられた下げ紐と、を備えており、茶を抽出するには、お湯が注がれたティーカップに濾過袋を入れるか、ティーカップに濾過袋を入れた後に濾過袋の上からお湯を注ぐ。所定時間のお茶の抽出が終わると、糸を引き上げて濾過袋をカップの外に移動する。ティーバッグはその利便性から広く愛用されており、濾過袋の形状や材質、茶葉に多種多様なものが存在している。
【０００３】
ティーカップに蓋（保温蓋）を被せると、保温性がよくなり、蒸らし効果によって美味しいお茶を抽出できることが古くから知られている。
そこで、特許文献１は、ティーバッグの下げ紐の先端を保温蓋に止め付けることを提案している。
ところが、特許文献１においては、使用ずみのティーバッグは相当量の水分（茶）を含んでいるために、例えば、カップソーサー上に置くと、カップの底部を濡らしてしまい、また、ゴミ箱に持ち運ぼうとすると、衣服や床面に液だれが生じてしまう虞がある。
そこで特許文献２は、吸水性のある薄葉紙を複数枚重ね、少なくとも一部を露出させまたは露出可能にして、保温蓋のうちティーカップを覆う部分に取り付けることを提案している。
【先行技術文献】
【特許文献】
【０００４】
【特許文献１】実用新案登録第３０１３５５９号公報
【特許文献２】特開平２００６-２３８９０６号公報
【考案の概要】
【考案が解決しようとする課題】
【０００５】
特許文献２のティーバッグは、下げ紐を介してティーバッグを保温蓋に取付けている。そのために、ティーバッグを吸水性の薄葉紙に触れさせるために、下げ紐を引っ張るなどの操作を行う必要があるので、ティーバッグから水分を取り除くのが煩雑である。
そこで本考案は、お茶の抽出後に含まれる水分を、より簡便な操作で取り除くことができるティーバッグを提供することを目的とする。
【課題を解決するための手段】
【０００６】
本考案のティーバッグは、保温蓋と、吸水シートと、ティーバッグ本体と、を備える。
保温蓋は、ティーカップの口縁に載せられてティーカップの内部を塞ぐものであり、ティーカップの内部に臨むうら面と、うら面の反対側のおもて面と、を有している。
吸水シートは、保温蓋のうら面に設けられる。
ティーバッグ本体は、ヒンジを介して保温蓋のうら面に正逆回転が自在に固定される。そして、ティーバッグ本体は、保温蓋と平行をなすと、吸水シートに面接触する。
【０００７】
本考案によるティーバッグは、ティーバッグ本体が、ヒンジを介して保温蓋のうら面に正逆回転が自在に固定されており、保温蓋と平行をなすと、吸水シートに面接触する。したがって、ティーバッグを使用してお茶を抽出した後に、保温蓋をティーカップから引き上げて、保温蓋の表裏を反転させるだけでティーバッグを吸水シートに接触させることができる。しかも、ティーバッグ本体が吸水シートと面接触するので、ティーバッグ本体に含まれている水分を吸水シートに迅速に吸水させることができる。
【０００８】
本考案におけるティーバッグにおいて、ティーバッグ本体は、保温蓋と平行をなすように回動して、吸水シートに面接触している状態で、保温蓋の投影範囲内に収まる平面寸法に形成されていることが好ましい。
お茶の抽出後に、ティーバッグを処分する際に、ティーバッグ本体が保温蓋からはみ出すと、ティーバッグ本体がどこかに触れて濡らすおそれがあり、また、吸水されているとはいえ、水滴が垂れ落ちるおそれがある。ところが、ティーバッグ本体が保温蓋の投影範囲内に収まっていれば、これらのおそれは小さい。
【０００９】
本考案におけるティーバッグにおいて、吸水シートは、ティーバッグ本体と同等以上の表面積を有することが好ましい。そうすれば、吸水シートがティーバッグ本体と漏れなく接触することができるので、保温蓋に水分が直接に垂れるのを防ぐとともに、ティーバッグ本体からの給水量を確保することができる。
【００１０】
本考案におけるティーバッグにおいて、保温蓋は、おもて面に意匠画を備えることができる。この意匠画としては、植物、風景などのように、それを見ることにより心が癒されるものであることが好ましく、そうすればお茶をよりよく楽しむことができる。また、この意匠画には、ティーバッグ本体に収容されている茶葉の銘柄を含めることができる。そうすれば、飲みたいお茶を間違いなく入れることができる。
【００１１】
本考案のティーバッグにおいて、保温蓋は、うら面に耐水コーティング層が形成され、この耐水コーティング層の表面に吸水シートが貼り付けられていることが好ましい。
保温蓋が紙でできている場合に、吸水シートで吸収した水分が保温蓋に浸み込むのを避けることができる。
【考案の効果】
【００１２】
本考案のティーバッグによると、ティーバッグを使用してお茶を抽出した後に、保温蓋をティーカップから引き上げて、保温蓋の表裏を反転させるだけでティーバッグを吸水シートに接触させることができる。しかも、この反転動作をすれば、ティーバッグ本体が吸水シートと面接触するので、ティーバッグ本体に含まれている水分を吸水シートに迅速に吸水させることができる。
【図面の簡単な説明】
【００１３】
【図１】本実施形態のティーバッグを示し、（ａ）は平面図、（ｂ）は底面図、（ｃ）は側面図である。
【図２】図１のティーバッグをティーバッグ本体が下側になるようにして示した図であり、（ａ）は正面図、（ｂ）は側面図である。
【図３】図１のティーバッグをティーカップから引き上げてからティーバッグ本体を吸水シートに接触させて吸水シートを行う動作の一例を示している。
【図４】本実施形態における保温蓋のおもて面の意匠画の例を示している。
【考案を実施するための形態】
【００１４】
以下、図面を参照して、本考案の好ましい実施形態を説明する。
ティーバッグ１は、図３に示すように、ティーカップ３０の口縁３１に載せられてティーカップ３０の内部を塞ぐようにして使用されるものであり、保温蓋１０と、ティーバッグ本体２０と、を備えている。ティーバッグ１は、保温蓋１０がティーカップ３０の内部を塞ぐことにより、ティーカップ３０の内部から大気中へ逃げる熱量を抑えることにより、熱湯の温度低下を防ぎ、蒸らし効果によって美味しいお茶を抽出するのを助ける。
【００１５】
［保温蓋１０］
保温蓋１０は、図１及び図２に示すように、おもて面１６とうら面１７を備え、基板１１と、基板１１の表裏両面に形成される防水コーティング１３と、うら面１７の側の防水コーティング１３の上に貼り付けられる吸水シート１５と、を備えている。なお、保温蓋１０において、ティーカップ３０に載せられたときに、ティーバッグ１を使用する者に臨む側をおもて面１６とし、ティーカップ３０の内部に臨む側をうら面１７とする。
【００１６】
基板１１は、図１に示すように、円形の平面形状の部材であり、少なくともティーカップ３０に載せられたときにその形状を維持できるだけの剛性を備えている。基板１１は、紙、例えば厚紙により形成することができるが、ＰＥＴ（Polyethylene terephthalate）などの樹脂材料、その他の材料により形成することもできる。
基板１１の寸法は任意であるが、大きめのティーカップ３０にも無理なく載せることができるように、その直径を設定することが望まれる。もちろん、ティーカップ３０の寸法に合わせて、複数の寸法の基板１１を用意してもよい。なお、ここでは、基板１１（保温蓋１０）の平面形状を円形としているが、これは本考案の一例に過ぎず、ティーカップ３０の内部を塞ぐことができる限り、三角形などの多角形、楕円形、星形などの種々の定形、さらには、不定形にすることもできる。基板１１の厚さは、専ら剛性の観点から定められるが、基本的には任意である。
【００１７】
基板１１の表裏両面には、防水コーティング１３を施している。紙製の基板１１が濡れて劣化するのを防ぐ。防水コーティング１３としては、ＰＰ(polypropylene)、ＰＥ（polyethylene）、その他の樹脂材料を用いることができる。
本考案において、防水コーティング１３は、設けることが好ましい任意の要素であるが、特に、基板１１が樹脂材料、例えばＰＥＴから形成されている場合には、防水コーティング１３を省くことができる。また、本実施形態では、基板１１の表裏両面に防水コーティング１３を施しているが、表裏の一方の面、例えば水分が付着する可能性の高いうら面１７だけに防水コーティング１３を施すという選択肢もある。
【００１８】
基板１１のうら面１７には、吸水シート１５が貼り付けられている。吸水シート１５は、お茶の抽出を終えた後に、茶葉２２とともに濾過袋２１に含まれる水分を吸収するために設けられている。
吸水シート１５は、紙、樹脂、その他の任意の材質から形成できるが、できるだけ多くの水分を吸収できることが好ましい。そのため、吸水シート率の高く、トレイマットに適用される樹脂材料を用いることができる。具体的な材料としては、トレイメイト、フレッシュマスター（いずれもユニ・チャーム株式会社の登録商標）が掲げられる。
吸水シート１５は、図１に示すように平面形状が矩形を有しており、濾過袋２１よりわずかに大きな表面積を有している。
吸水シート１５が防水コーティング１３の上に貼り付けられていれば、基板１１が紙でできている場合に、吸水シート１５で吸収した水分が基板１１に浸み込むのを避けることができる。
【００１９】
基板１１のおもて面１６には意匠画を施すことができる。図１には花柄が一例として示されているが、これに限定されるものではなく、風景、動物などの各種の意匠画をおもて面１６に施すことができる。また、この意匠画には、図４に示すように、ティーバッグ本体２０の濾過袋２１に収容されている茶葉２２の銘柄を含めることができる。
【００２０】
［ティーバッグ本体２０］
ティーバッグ本体２０は、図１及び図２に示すように、茶葉２２を収容する濾過袋２１と、濾過袋２１を保温蓋１０のうら面１７に正逆回転が自在に固定するヒンジ２３と、を備える。
濾過袋２１は、メッシュ状の素材から構成されるが、その形状や材質は任意であり、特定のものに限定されることはない。濾過袋２１に収容される茶葉２２も同様であり、紅茶、緑茶、中国茶、ハーブティー、健康茶などを広く適用することができる。
本実施形態の濾過袋２１は平面形状が矩形をなしており、その長手方向（図１の幅方向）の一方の縁がヒンジ２３により保温蓋１０のうら面１７に固定されている。図２（ｂ）に示すように、ヒンジ２３により固定された濾過袋２１は、ヒンジ２３を中心にして正逆回転が自在とされている。よって、おもて面１６を下向きにして保温蓋１０を水平にすると、濾過袋２１はうら面１７に載せられ、うら面１７を下向きにして保温蓋１０を水平にすると、濾過袋２１は鉛直方向に沿って吊り下げられる。
ヒンジ２３は、濾過袋２１と一体になっていてもよいし、別体となっていてもよい。ヒンジ２３は樹脂材料で作成し、保温蓋１０のうら面１７に、超音波溶着若しくは熱融着等で固定することができる。
【００２１】
［ティーバッグ１の吸水動作］
次に、図３を参照して、ティーバッグ１の特にティーバッグ本体２０の動作を説明する。
ティーバッグ１は、図３（ａ）に示すように、お湯ＨＷが注がれたティーカップ３０に載せられると、濾過袋２１がお湯ＨＷの中に浸けられ、濾過袋２１の中の茶葉２２のエキスがお湯の中に抽出される。
所定時間が経過すると、ティーバッグ１はティーカップ３０から引き上げられるが、この引き上げ動作の過程で、保温蓋１０を反転させるだけで濾過袋２１を吸水シート１５に面接触させることができる。以下、図３（ｂ）〜（ｅ）を参照しながら、この過程を説明する。
【００２２】
お茶の抽出が終えると、ティーバッグ１（保温蓋１０）をティーカップ３０から引き上げて、保温蓋１０をティーカップ３０から所定の距離以上離す。所定の距離は、ティーカップ３０の上で、保温蓋１０を反転し得るだけの距離である。
保温蓋１０を引き上げたならば、図３（ｂ）、（ｃ）に示すように、水平方向に向いている保温蓋１０を回転させる。ここでは、時計回りに回転させている。保温蓋１０は回転するが、保温蓋１０にヒンジ２３で正逆回転が自在に固定されている、ティーバッグ本体２０は重力を受けているので、鉛直方向を向いたままである。
【００２３】
しかし、図３（ｄ）に示すように、保温蓋１０が鉛直方向に向くまで、つまりティーバッグ本体２０が保温蓋１０と平行をなすまでに回転させると、保温蓋１０の吸水シート１５にティーバッグ本体２０の濾過袋２１が接触する。この接触は、吸水シート１５の表面と濾過袋２１の表面が接する面接触である。なお、濾過袋２１の表面には凹凸が存在するので、吸水シート１５と濾過袋２１の間には厳密には隙間が空いているところがあるが、全体としてみれば面接触であることに変わりはない。
【００２４】
吸水シート１５に濾過袋２１が接触した後に、さらに保温蓋１０が水平方向を向くまで回転させると、図４（ｅ）に示すように、濾過袋２１は吸水シート１５を介して保温蓋１０のうら面１７に載せられる。このときも濾過袋２１は吸水シート１５に面接触しているので、濾過袋２１に含まれる水分は吸水シート１５に吸収される。この状態を維持することにより、濾過袋２１に含まれる水分を吸水シート１５に十分に吸収させることができる。
ティーバッグ１は、濾過袋２１は吸水シート１５を介して保温蓋１０のうら面１７に載せられている状態で、保温蓋１０の投影範囲内に収まっている。
【００２５】
［本実施形態の効果］
以上説明した通りであり、本実施形態のティーバッグ１は、お茶の抽出を終えた後に、保温蓋１０を反転させるだけで濾過袋２１を吸水シート１５に接触させ、濾過袋２１に含まれる水分を吸収させることができる。
しかも、濾過袋２１はその平面の全域が吸水シート１５に面接触しているので、吸水シート１５による吸水シートの効率が良い。さらに、濾過袋２１は吸水シート１５の上に載せられているので、濾過袋２１には重力が加わり、濾過袋２１に含まれる水分は自重により吸水シート１５に向けて押し出される結果、吸水シート１５による吸水の迅速化を図ることができる。
【００２６】
次に、ティーバッグ１は、濾過袋２１が吸水シート１５に接触している状態で、保温蓋１０の投影範囲内に収まっている。したがって、お茶の抽出後に、ティーバッグを処分する際に、濾過袋２１は保温蓋１０の周縁からはみ出すことがないので、ティーバッグ本体２０がどこかに触れて濡らすおそれが小さい。また、吸水されているとはいえ、濾過袋２１には水分が含まれており、濾過袋２１からは水滴が垂れるおそれがあるが、濾過袋２１が保温蓋１０の投影範囲内に収まっていれば、水滴が漏れても濾過袋２１のうら面１７に留めることができる。
また、吸水シート１５は、濾過袋２１と同等以上の表面積を有しているので、吸水シート１５が濾過袋２１と漏れなく接触することにより、保温蓋１０に水分が直接に垂れるのを防ぐとともに、濾過袋２１からの給水量を確保することができる。
【００２７】
また、ティーバッグ１は、保温蓋１０のおもて面１６に意匠画が描かれているので、それを見た人は心が癒されるなどして、お茶をより楽しむことができる。
【符号の説明】
【００２８】
１    ティーバッグ
１０  保温蓋
１１  基板
１３  防水コーティング
１５  吸水シート
１６  おもて面
１７  うら面
２０  ティーバッグ本体
２１  濾過袋
２２  茶葉
２３  ヒンジ
３０  ティーカップ
３１  口縁
【図１】
0003198196.tif 000003
【図２】
0003198196.tif 000004
【図３】
0003198196.tif 000005
【図４】
0003198196.tif 000006